(57)【要約】【課題】  輸送効率および保管効率を向上することができるストッカー付きの  商品陳列装置を提供する。【解決手段】  左右１対の支柱４、４と、支柱４、４の下端部から前方に延設されたベース脚８、８と、支柱４、４の前面に架設されて支柱の前方に張り出す棚板２と、棚板２の下方に設けられる商品のストッカー３とからなる商品陳列装置１において、ストッカー３を、ベース脚８、８の先端部に着脱自在に結合した前柱９、９と、その前面に左右両縁が取付けられた方形の枠６ａおよびこれに開閉自在に装着された扉６ｂを含む扉セット６と、扉セット６の後方の空間を包囲する複数の板材７、１１、１２とによって組み立てる。【選択図】  図２
2005198712.tif 000002
【特許請求の範囲】
【請求項１】
左右１対の支柱と、これら支柱の下端部から前方に延設されたベース脚と、前記支柱の前面に架設されて支柱の前方に張り出す棚板と、最下段の棚板の下方に設けた商品のストッカーとからなる商品陳列装置において、前記ストッカーを、前記ベース脚の先端部に着脱自在に結合した前柱と、この前柱の前面に左右両縁が取付けられた方形の枠、およびこの枠に開閉自在に装着された扉を含む扉セットと、この扉セットの後方の空間を包囲する複数の板材とによって組み立てたことを特徴とする商品陳列装置。
【請求項２】
ベース脚を、前端が開口する角管とし、かつ前柱の下端部後面に、ベース脚の前端開口部に嵌挿かつ係合しうる嵌挿部を設けたことを特徴とする請求項１記載の商品陳列装置。
【発明の詳細な説明】
【技術分野】
【０００１】
本発明は、扉の組立てが容易な商品ストッカーを備えた商品陳列装置に関する。
【背景技術】
【０００２】
商品陳列装置には、商品を陳列する棚板の外に、在庫の商品を収容しておく箱型または組立て式のストッカーを備えるものがある（例えば特許文献１〜５参照）。
【特許文献１】特開２００１−１９０３６９号公報
【特許文献２】特開２００１−３２１２４９号公報
【特許文献３】特開２００１−２５８６９９号公報
【特許文献４】実公平５−４０７７３号公報
【特許文献５】実公昭５２−４１４７３号公報
【発明の開示】
【発明が解決しようとする課題】
【０００３】
箱型ストッカーは、予め組み立てられて提供されるため、使用現場で組み立てる手間は省けるものの、輸送時あるいは保管時に大きなスペースを必要とし、輸送・保管効率が悪い。
【０００４】
組立て式のストッカーは、輸送・保管時のスペース上の効率を図ることはできる一方、前方に引き出す箱型ストッカーと違って、扉が必要になるが、この扉の組立てが特に煩瑣である。
【０００５】
本発明は、上記事情に鑑み、輸送効率および保管効率を向上できる組立て式で、かつ扉の組立ても容易なストッカーを具備する商品陳列装置を提供することを目的としている。
【課題を解決するための手段】
【０００６】
本発明によると、上記課題は、次のようにして解決される。
(１)  左右１対の支柱と、これら支柱の下端部から前方に延設されたベース脚と、前記支柱の前面に架設されて支柱の前方に張り出す棚板と、最下段の棚板の下方に設けた商品のストッカーとからなる商品陳列装置において、前記ストッカーを、前記ベース脚の先端部に着脱自在に結合した前柱と、この前柱の前面に左右両縁が取付けられた方形の枠、およびこの枠に開閉自在に装着された扉を含む扉セットと、この扉セットの後方の空間を包囲する複数の板材とによって組み立てる。
【０００７】
(２)  上記(１)項において、ベース脚を、前端が開口する角管とし、かつ前柱の下端部後面に、ベース脚の前端開口部に嵌挿かつ係合しうる嵌挿部を設ける。
【発明の効果】
【０００８】
(１)  請求項１記載の発明によると、組立て式のストッカーでありながら、扉が蝶番等を介してすでに枠に取付けられた扉セットを用いるため、組立て作業を簡単に行うことができる。
また、商品陳列装置の他の部品とともに組み立てられるため、輸送・保管時に不要なスペースを占有することがなく、輸送・保管効率を向上することができる。
【０００９】
(２)  請求項２記載の発明によると、嵌挿部をベース脚の前端開口部に嵌挿、係合するという簡単な操作で、扉セットを取付けるための前柱を装着することができる。
【発明を実施するための最良の形態】
【００１０】
図１〜図３は、本発明の一実施形態を示す。
商品陳列装置(１)は、最下段の棚板(２)（他の棚板は図示略）の下方に、在庫の商品を収容しておくストッカー(３)を備えている。左右１対の支柱(４)(４)の前面に上下方向に列設された２列の係合孔(4a)(4a)に、ブラケット(５)(５)（左方のものは図示せず）の後端部が係合され、前方に張り出したこれらブラケット(５)(５)上に、棚板(２)の左右両縁が載置、支持されている。最下段の棚板(２)は、ストッカー(３)の天板の役割も果たしている。ストッカー(３)は、両開き式の扉セット(６)を備えている。但し、扉は、引き違い戸など、他のものでもよい。
【００１１】
左右１対の支柱(４)(４)の間には、背面板(７)が配設されている。支柱(４)(４)の下端部前面からは、角管状のベース脚(８)(８)が前方に延設されている。棚板(２)の左右両側の前部は、下方から左右１対の短身の前柱(９)(９)によって支持されている。前柱(９)(９)の下端部後面には、ベース脚(８)(８)の前端開口部に嵌挿される嵌挿部材(10)(10)（左方のものは図示せず）が装着されている。
【００１２】
左右のベース脚(８)(８)の間には、底板(11)が、またベース脚(８)(８)と棚板(２)の左右の縁部との間には、左右の側面カバー(12)(12)がそれぞれ着脱自在に配置され、扉セット(６)、背面板(７)、および棚板(２)と併せて、ストッカー(３)の周囲を仕切っている。各側面カバー(12)は、その内面上部に設けた係止片(12a)を、ブラケット(５)に、また内面下部に設けた係止片(12b)を、ベース脚(８)にそれぞれ係止することにより、商品陳列装置(１)の下部側面に着脱自在に装着されている。なお、本実施形態においては、図２に示すように、底板(11)の上方に、中棚(13)が架設されている。
【００１３】
扉セット(６)は、方形の枠(6a)にすでに蝶番（図示せず）を介して扉(6b)が取付けてあるため、枠(6a)の左右両側縁に列設した爪(6c)（右側部分のもののみを示す）を、前柱(９)前面の対応する位置に設けた係合孔(9a)に係合させるだけで、簡単に取付けることができる。
【００１４】
本実施形態においては、図３に詳しく示すように、嵌挿部材(10)の上面に、弾性的に撓曲しうる爪(14)を設け、他方ベース脚(８)の嵌挿部材(10)が嵌挿される部分の上面にも係合孔(15)を穿設する。したがって、嵌挿部材(10)の嵌挿時には、爪(14)は下方に撓曲しながらベース脚(８)の内部を進み、係合孔(15)の箇所で元の形状を回復して、嵌挿部材(10)、したがって前柱(９)を固定させる。
【図面の簡単な説明】
【００１５】
【図１】本発明の一実施形態の斜視図である。
【図２】同じく、分解斜視図である。
【図３】図２の嵌挿部材とベース脚の拡大斜視図である。
【符号の説明】
【００１６】
(１)商品陳列装置
(２)棚板
(３)ストッカー
(４)支柱
(4a)係合孔
(５)ブラケット
(６)扉セット
(6a)枠
(6b)扉
(6c)爪
(７)背面板
(８)ベース脚
(９)前柱
(9a)係合孔
(10)嵌挿部材
(10a)上面
(11)底板
(12)側面カバー
(12a)(12b)係止片
(13)中棚
(14)爪
(15)係合孔
【図１】
2005198712.tif 000003
【図２】
2005198712.tif 000004
【図３】
2005198712.tif 000005